(57)【特許請求の範囲】
【請求項１】
出力信号に誤り検査用符号を付加して信号の送出を行なう信号送出装置において、
前記誤り検査用符号を付加するよりも前の段階の第１の信号処理手段に対しても、前記誤り検査用符号と同方式または同一バイト数の事前検査符号を第１の検査符号付加手段により付加して信号処理を施し、前記信号処理手段の逆変換処理を逆変換処理手段により行ない前記事前検査符号を第１の検査手段により検査するとともに、
前記事前検査符号に代えて前記検査用符号を第２の検査符号付加手段により付加して信号処理を施す第２の信号処理手段の結果を逆変換処理手段により逆変換処理して検査用符号を第２の検査手段により検査するよう構成したことを特徴とする信号送出装置。
【請求項２】
出力信号に誤り検査用符号を付加して信号の送出を行なう信号送出方法において、
前記誤り検査用符号を付加するよりも前の段階の第１の信号処理に対しても、前記誤り検査用符号と同方式または同一バイト数の事前検査符号を付加して信号処理を施し、前記処理部分の逆変換処理を行ない前記事前検査符号を検査するとともに、
前記事前検査符号に代えて前記誤り検査用符号を付加して信号処理を施した第２の信号処理の結果を逆変換処理して前記誤り検査用符号を検査するようにしたことを特徴とする信号送出方法。
【発明の詳細な説明】
【０００１】
【発明の属する技術分野】
出力信号に誤り検査用符号を付加して信号の送出を行なう信号送出装置において、信号送出装置の動作誤りを検査する装置に関する。
【０００２】
【従来の技術】
従来の信号送出装置の一例を図と共に以下に説明する。
図３は記録系あるいは送出系の信号処理内容を、検査する符号を付加する段階を境に、その前の処理及びその後の処理の２つに分類して示したものである。
【０００３】
第１の処理回路３２による第１の処理に該当するものとして、データのランダム化やエネルギ拡散の目的で行なうスクランブル処理や暗号化や可逆圧縮等がある。
処理回路３２による第１の処理において、スクランブルの初期値や暗号化のための鍵設定や圧縮アルゴリズムの設定等のために処理のパラメータが入力されることがあり、図中の第１の処理回路３２、処理逆変換回路３７に供給されている「パラメータ」はそれを意味している。
【０００４】
第２の処理回路３４による第２の処理に該当するものとして、ＥＣＣ（誤り訂正符号）や変調等の処理があり、検査符号付加としては、再生あるいは受信時のＥＣＣ復号の検査用としてＥＤＣ（Error Detection Code）等があり、変調に対しては再生あるいは受信時の復調を検査するものとしてＣＲＣ（Cyclic Redundancy Check 、巡回冗長検査）等がよく用いられる。
【０００５】
図４は図３の各処理段階に対応して信号フォーマットを説明したもので、図４（ａ）はＥＤＣの場合、図４（ｂ）はＣＲＣの場合の一例である。
図４（ａ）に示す信号フォーマットについて以下に説明する。
ある一塊の入力データ（１セクタ等、図中のＤａｔａ）は、第１の処理回路３２により第１の処理を施され、例えば暗号化され、Ｄａｔａ’に変換された後、再生時のＥＣＣによる誤り訂正を検査するための検査符号ＥＤＣが検査符号付加回路３３により付加される（Ｄａｔａ’＋ＥＤＣ）。
【０００６】
その後、第２の処理として、第２の処理回路３４による誤り訂正符号生成処理が行なわれ、誤り訂正符号ＥＣＣが付加された信号が記録信号、または、送信信号（Signal out）として送出される。
再生時はＥＣＣによる誤り訂正が行なわれ、記録再生系での符号誤りが訂正された後、その際の誤り訂正がなかったか否かを検査符号ＥＤＣを用いて検査される。
【０００７】
つぎに、図４（ｂ）に示す信号フォーマットについて以下に説明する。
ある一塊の入力データ（１フレーム等、図中のＤａｔａ）は第１の処理を施され、Ｄａｔａ’に変換された後、再生時に記録再生系や伝送系でのエラーを検査するための検査符号ＣＲＣが付加される（Ｄａｔａ’＋ＣＲＣ）。
その後、第２の処理に該当する変調処理が施され、フレーム同期信号（ＳＹ）が付加されて、記録信号または送信信号（Signal out）として送出される。
再生時はＣＲＣにより記録再生系でエラーがあったか否かが検査される。
【０００８】
以上のような信号送出装置において、送出信号の検証や信号送出装置の故障検査等の目的で、送出信号のチェックを行なうことがある。
図３の下側部分がそのための付加部分であり、送出信号は第２の処理及び第１の処理に対応して第２の処理逆変換回路３５と第１の処理逆変換回路３７とにより夫々逆変換され、元データが復元される。
【０００９】
復元データが供給される比較回路３８において、復元されたデータ（逆変換回路３７の出力）と装置への入力データ（Delay 回路３１の出力）とをデータ同志比較して、不一致が認められた場合には、直ちに記録や送信を停止して、復旧手段等の措置がとられる。
従来の問題点として、検査するために、上記で説明したように、逆変換して得られた復元データと入力の元データとを一対比較回路に供給して、合致の有無を検査する手段が必要であった。
【００１０】
さらに、図３にも示されているように、復元されたデータを得るには、処理回路３２、付加回路３３、処理回路３４、逆変換回路３５、検査回路３６、逆変換回路３７による第１の処理及び第２の処理、及び第１の処理及び第２の処理夫々の逆変換の処理等による時間分の遅れが生じるために、その処理時間遅れに相当する時間分遅延させる遅延（Delay ）回路３１を設けて、元データと復元データのタイミングを合わせる必要があった。
【００１１】
さらにまた、第１の処理に対してパラメータ設定を伴っている場合には、ある一塊の入力データ（１セクタ、１フレーム等）毎に設定されたパラメータを比較時まで保持している必要があった。
【００１２】
【発明が解決しようとする課題】
本発明は、送出信号の検証や信号送出装置の故障検出を行なうにあたり、従来例のように、復元したデータと入力データとの比較やタイミング合わせが必要となる問題点を改善し、簡単な回路構成で上記機能を実現した信号送出装置を提供するものである。
【００１３】
（  作  用  ）
本発明は、送出信号の検証や信号送出装置の故障検出を行なう手段として、記録再生系乃至伝送系での誤り検査やＥＣＣによる誤り訂正検査を行なう目的で割り当てられたＣＲＣやＥＤＣといった検査符号を用いて前記手段を提供するもので、前記検査符号を付加する前に設けられた処理（図１の第１の処理）を行なうに当たっては、これらの処理を行なう前のデータに対しても、前記検査符号を付加して、これらの処理（第１の処理）を行なうようにする。
【００１４】
そしてこの結果を、再度逆変換処理を行ない、前記処理（図１の第１の処理）の前に付加した事前検査符号を検査する。
これによって前記処理（第１の処理）出力の信号検査、あるいは前記処理（第１の処理）部分の故障検出を行なうことが出来る。
【００１５】
前記処理（図１の第１の処理）の検査を行なった後に、本来付加すべき記録再生系乃至伝送系の誤り検査用符号や誤り訂正検査符号を付加し、この検査用符号を付加した後に設けられた図１の第２の処理回路による第２の処理を施した後、送出装置としての信号（Signal out）を記録再生系乃至伝送系に送出する。
【００１６】
これにより、従来のように、逆変換したデータを一対比較する必要がなく、また処理時間に起因する元データと逆変換した後に得られたデータ間のタイミングずれを合わせる、例えば遅延手段の必要もなくなり、簡単な手段（回路）により送出信号の検査や信号送出装置の故障検出が行なえるものである。
【００１７】
また、本発明の手段によれば、送出信号出力までの遅延時間が変動するような場合でも有効であり、また、前段の処理（図１の第１の処理）にパラメータを設定する場合であっても、処理した後直ちに検査するので処理パラメータを特に保持する必要がないか、譬え有っても僅かの保持期間で済む。
【００１８】
【発明の実施の形態】
本発明の信号送出装置の一実施例について、以下に図と共に順次説明する。
図２（ａ）は検査符号としてＥＤＣ（Error Detection Code）を用い、第２の処理としてＥＣＣ生成が施される場合の信号フォーマットを示したものである。
【００１９】
また、図２（ｂ）は検査符号としてＣＲＣ（Cyclic Redundancy Check 、巡回冗長検査）を用い、第２の処理として変調が施される場合の信号フォーマットを示したものである。
図１に示すように、第１の処理回路２により第１の処理を施すに先立ち、第２の処理の検査符号ＣＣ２と同方式／同一バイト数の検査符号を第１の処理の検査符号ＣＣ１として検査符号付加回路１により付加する。
【００２０】
図２（ａ）では、この検査符号をＥＤＣ１として示してある。即ち、第１の処理として暗号化を施す場合を例にとると、暗号化を施す前のデータに対してＥＤＣを生成して付加して、その後で暗号化処理を施す。
【００２１】
暗号化された信号の検証や暗号化回路の故障検査を行なうために、第１の処理の結果得られたデータと検査符号（図１では、Ｄａｔａ’＋ＣＣ１で示してある）を逆変換回路３により逆変換（暗号化解読）し、その結果得られる復元データと検査符号ＣＣ１を用いてＥＤＣ演算し、誤りがないか事前検査符号検査回路（第１の検査回路）４により検査する。
誤りなしと判定されれば、第１の処理回路２には故障はなく、処理出力データも正常と判断される。
【００２２】
第１の処理の後、第１の処理に先がけて付加したＣＣ１に上書きする形で、Ｄａｔａ’に基づいて本来の検査符号ＥＤＣ２を検査符号付加回路５により生成して付加し（図１中、Ｄａｔａ’＋ＣＣ２）、第２の処理回路６による第２の処理の結果、ＥＣＣ符号も生成付加されて、送出データとして記録再生系乃至伝送系９に送出して、記録あるいは送信を行なう。
【００２３】
図２（ｂ）の場合も同様であり、第１の処理を施す前の１フレーム分のデータに対して誤り検査符号ＣＲＣ１を生成し付加する。
その後、データに対して第１の処理を施しＤａｔａ’を得、そのＤａｔａ’に対して第１の処理の逆変換を行なって、その復元されたデータとＣＲＣ１から誤りを検査する。
【００２４】
第１の処理の後、先に生成したＣＲＣ１に上書きする形でＤａｔａ’に基づいて新たに演算したＣＲＣ２を生成付加し（図１中、Ｄａｔａ’＋ＣＣ２）、第２の処理に当たる変調を施し、送出データとして記録再生系乃至伝送系９に送出して、記録あるいは送信する。
【００２５】
ここで、図１に示したように第２の処理回路６の結果に対しても、逆変換回路７により逆変換して、検査用符号検査回路（第２の検査回路）８により検査用符号ＣＣ２を検査すれば、第１の処理の場合と同様に第２の処理に対して検証が可能である。
従って、第１の処理あるいは第２の処理のいずれに故障があるか、故障個所を特定出来る。
【００２６】
検査信号付加回路１，５からの事前検査符号ＣＣ１と検査用符号ＣＣ２の検査方式が同じであれば、事前検査符号検査回路（第１の検査回路）４，検査用符号検査回路（第２の検査回路）８を時分割処理で共用化することも可能であり、回路の簡単化につながる。
【００２７】
また、事前検査符号ＣＣ１と検査用符号ＣＣ２の扱うバイト数が同じであれば、第１の処理回路２と第２の処理回路６のタイミング回路が共用化出来るので、この場合も回路の簡単化につながる。
【００２８】
以上のように、本発明によれば、従来方法のように逆変換したデータと元データを一対比較しなくても、簡単な手段で送出信号の検査や信号送出装置の故障検出が行なえる。
【００２９】
また、本発明によれば、処理（図１の第１の処理）にパラメータ設定を伴う場合であっても、処理後直ちに検査するので処理パラメータを特に保持する必要がないか、あっても僅かの保持期間で済む。
【００３０】
さらに、各処理段階毎に検査しているので、逆変換したデータと元データとのタイミングを合わせるための手段が必要でなく、図５に示した信号送出タイミングの例のように、記録再生系または伝送系９への信号送出タイミングが一定でない場合であっても、有効に送出信号の検査や信号送出装置の故障検出が行なえるものである。
【００３１】
【発明の効果】
以上述べたように、本発明の信号送出装置によれば、従来方法のように逆変換したデータと元データを一対比較しなくても、簡単な手段で送出信号の検査や信号送出装置の故障検出が行なえる。
【００３２】
また、本発明によれば、第１の処理にパラメータ設定を伴う場合であっても、処理した後直ちに検査するので処理パラメータを特に保持する必要がないか、あっても僅かの保持期間で済む。
【００３３】
さらに、各処理段階毎に検査しているので、逆変換したデータと元データとのタイミングを合わせる手段が必要でなく、記録再生系または伝送系への信号送出タイミングが一定でない場合であっても、有効に送出信号の検査や信号送出装置の故障検出が行なえるものである。
【００３４】
本発明の信号送出装置によれば、第１の処理及び第２の処理のうちどちらでエラーが発生したかが、誤り検査を行なう簡単な構成で、直ぐに分かる。
【図面の簡単な説明】
【図１】本発明における信号送出装置の一実施例を示したブロック図である。
【図２】本発明における信号送出装置の各部の信号フォーマットを示したブロック図である。
【図３】信号送出装置の従来の一例を示したものである。
【図４】従来例における信号送出装置の各部の信号フォーマットを示したものである。
【図５】信号送出タイミングの一例を示したものである。
【符号の説明】
１  （第１の）検査符号付加回路（手段）
２  （第１の）信号処理回路（手段）
３  （第１の）処理逆変換回路（手段）
４  （第１の）検査回路（手段）
５  第２の検査符号付加回路
６  第２の信号処理回路（手段）
７  第２の処理逆変換回路（手段）
８  第２の検査回路（手段）
９，３９  記録再生系乃至伝送系
３１  遅延（Delay ）回路
３２  （第１の）信号処理回路
３３  検査符号付加回路
３４  第２の信号処理回路
３５  第２の処理逆変換回路
３６  検査用符号検査回路
３７  （第１の）処理逆変換回路
３８  比較回路
【図１】
0003693210.tif 000002
【図２】
0003693210.tif 000003
【図３】
0003693210.tif 000004
【図４】
0003693210.tif 000005
【図５】
0003693210.tif 000006